(57)【要約】【課題】屋外でも使用でき、かつ、大型化に適した内照式看板を提供する。【解決手段】ＦＦシート１１と、フレーム１２と、フレーム１２における、その厚み方向Ｄ１１の表裏のうち少なくとも一方の側に、当該フレーム１２の内側空間１２ａを相互間に挟むように４本が固定されるとともに、各々にＦＦシート１１の端縁部分が固定されて、当該ＦＦシート１１を展張保持する固定レール１３と、フレーム１２における内側空間１２ａの方を向いた内壁面の少なくとも一部に固定された複数のフレーム光源１４と、を備えた。【選択図】図１
2018197842.tif 000002
【特許請求の範囲】
【請求項１】
透明又は半透明で表面に防水処理が施されたフレキシブルフェイスシートと、
シートの固定用に形成された枠材であって、前記フレキシブルフェイスシートの外形に応じた外形を有するフレームと、
前記フレームにおける、その厚み方向の表裏のうち少なくとも一方の側に、当該フレームの内側空間を相互間に挟むように複数本が固定されるとともに、各々に前記フレキシブルフェイスシートの端縁部分が固定されて、当該フレキシブルフェイスシートを展張保持する固定レールと、
前記フレームにおける前記内側空間の方を向いた内壁面の少なくとも一部に固定された複数のフレーム光源と、
を備えたことを特徴とする内照式看板。
【請求項２】
前記固定レールに固定された端縁部分を含む、前記フレキシブルフェイスシートの全周縁を覆うように前記フレームに固定された化粧枠を備えたことを特徴とする請求項１に記載の内照式看板。
【請求項３】
前記内側空間を横切るとともに、前記フレームにおける前記一方の側とは反対側の他方の側から前記フレキシブルフェイスシートに向かって立設された中間リブと、
前記中間リブの表裏両面に固定された複数の中間光源を備えたことを特徴とする請求項１又は２に記載の内照式看板。
【請求項４】
前記中間リブは、前記他方の側からの高さが、前記フレームの高さよりも低くなるように形成されていることを特徴とする請求項３に記載の内照式看板。
【請求項５】
前記フレームが、複数個、当該フレームの面内方向に互いに連結配置され、
前記フレキシブルフェイスシートが、連結配置された複数個の前記フレームの全体外形に応じた外形を有する１枚シートであることを特徴とする請求項１〜４のうち何れか一項に記載の内照式看板。
【請求項６】
複数個の前記フレームそれぞれにおける連結部分は、前記フレームにおける前記一方の側とは反対側の他方の側からの高さが、他の部分の高さよりも低くなるように切り欠かれている、若しくは前記他の部分の高さよりも低い別部材で形成されていることを特徴とする請求項５に記載の内照式看板。
【請求項７】
前記固定レールが、前記フレキシブルフェイスシートの端縁部分に沿って２列以上、互いに平行配列されており、
前記フレキシブルフェイスシートの端縁部分が、各列の前記固定レールに固定されていることを特徴とする請求項１〜６のうち何れか一項に記載の内照式看板。
【請求項８】
前記固定レールが、前記フレームにおける前記表裏それぞれに複数本ずつ固定されており、
前記フレキシブルフェイスシートが、前記表裏それぞれの側で複数本の前記固定レールによって展張保持されるように２枚設けられていることを特徴とする請求項１〜７のうち何れか一項に記載の内照式看板。
【請求項９】
前記フレームが、金属フレームの表面に防水皮膜処理が施され、
前記固定レールが、金属レールの表面に防水皮膜処理が施され、
前記フレーム光源が、防水仕様の光源であることを特徴とする請求項１〜８のうち何れか一項に記載の内照式看板。
【請求項１０】
前記フレームが、２つのフレーム部分を、側面視で略Ｌ字状となるように端部どうしを連結して形成されたものであり、
複数本の前記固定レールのうち、前記２つのフレーム部分の一方のフレーム部分から他方のフレーム部分へと延在する固定レールは、前記側面視で、少なくとも前記一方のフレーム部分から他方のフレーム部分へと渡る部分が湾曲した形状となっていることを特徴とする請求項１〜９のうち何れか一項に記載の内照式看板。
【請求項１１】
前記フレームが、ファブリックシートの固定用に形成されたファブリックフレームであることを特徴とする請求項１〜１０のうち何れか一項に記載の内照式看板。
【発明の詳細な説明】
【技術分野】
【０００１】
本発明は、内照式看板に関する。
【背景技術】
【０００２】
従来、導光板にＬＥＤ光源の光を導き入れて面発光させる発光看板が知られている（例えば、特許文献１参照。）。ここで、一般的に導光板を用いた発光看板は、小サイズや中サイズが中心で、大型化には不向きであることが多い。
【０００３】
大型化に適した看板としては、例えば布製で絵柄が描かれたファブリックシートをファブリックフレームに固定したファブリック方式の看板が知られている。ファブリックフレームに取付けた光源でファブリックシートの背面側を照らすことで内照式看板が構成される。ファブリックシートは布製で柔らかく取扱いが容易であることから、ファブリック方式の看板は大型化に適している。
【先行技術文献】
【特許文献】
【０００４】
【特許文献１】特許第４９９０９５２号公報
【発明の概要】
【発明が解決しようとする課題】
【０００５】
ここで、ファブリックシートは布製であることから防水性に乏しく、ファブリック方式の看板は基本的に屋内向けとなっている。一方で、導光板を用いた発光看板のように屋外でも使用でき、かつ、ファブリック方式の看板のように大型化に適した内照式看板が求められている。
【０００６】
従って、本発明は、上記のような課題に着目し、屋外でも屋内でも使用でき、かつ、大型化に適した内照式看板を提供することを目的としている。
【課題を解決するための手段】
【０００７】
上記課題を解決するために、本発明の内照式看板は、透明又は半透明で表面に防水処理が施されたフレキシブルフェイスシートと、シートの固定用に形成された枠材であって、前記フレキシブルフェイスシートの外形に応じた外形を有するフレームと、前記フレームにおける、その厚み方向の表裏のうち少なくとも一方の側に、当該フレームの内側空間を相互間に挟むように複数本が固定されるとともに、各々に前記フレキシブルフェイスシートの端縁部分が固定されて、当該フレキシブルフェイスシートを展張保持する固定レールと、前記フレームにおける前記内側空間の方を向いた内壁面の少なくとも一部に固定された複数のフレーム光源と、を備えたことを特徴とする。
【０００８】
本発明の内照式看板では、看板の絵柄を表示するシートとして、透明又は半透明で表面に防水処理が施されたフレキシブルフェイスシートが採用されている。このようなフレキシブルフェイスシートとしては、例えばテント地にフッ素コート等の防水処理を施したシート材等が挙げられる。フレキシブルフェイスシートが防水性を有していることから、本発明の内照式看板は、屋内は勿論、屋外でも使用可能となっている。ここで、一般に、フレキシブルフェイスシートは、ファブリックシートに比べると硬質で折り曲げ難いことから、そのままでは、フレームには取り付けることが困難である。これに対し、本発明の内照式看板では、フレキシブルフェイスシートをフレームに直に取付けるのではなく、複数本の固定レールを介して展張保持させる。これによりフレームへの取付けの困難さが解消される。このように取付けの困難さが解消されたことにより、本発明にいうフレームの一例として例えば大型化に適したファブリック方式で使用されるファブリックフレームを採用するといった運用が可能となる。従って、本発明の内照式看板は、屋外でも屋内でも使用でき、かつ、大型化に適した内照式看板となっている。
【０００９】
ここで、本発明の内照式看板において、前記固定レールに固定された端縁部分を含む、前記フレキシブルフェイスシートの全周縁を覆うように前記フレームに固定された化粧枠を備えたことが好適である。
【００１０】
この好適な内照式看板によれば、上記の化粧枠により、フレキシブルフェイスシートにおいて固定レールに固定された端縁部分が隠されるので、良好な外観を得ることができる。
【００１１】
また、本発明の内照式看板において、前記内側空間を横切るとともに、前記フレームにおける前記一方の側とは反対側の他方の側から前記フレキシブルフェイスシートに向かって立設された中間リブと、前記中間リブの表裏両面に固定された複数の中間光源を備えたことも好適である。
【００１２】
この好適な内照式看板によれば、例えば大型化したときの光量不足が、上記の中間リブに取り付けられた複数の中間光源によって補われるので、全表示面に亘って均一に発光させることができる。
【００１３】
また、この好適な内照式看板において、前記中間リブは、前記他方の側からの高さが、前記フレームの高さよりも低くなるように形成されていることが更に好適である。
【００１４】
この更に好適な内照式看板によれば、中間リブとフレキシブルフェイスシートとの間に空間が空くことから、表示面における、中間リブの影や、中間光源のイメージを目立たなくすることができる。
【００１５】
また、本発明の内照式看板において、前記フレームが、複数個、当該フレームの面内方向に互いに連結配置され、前記フレキシブルフェイスシートが、連結配置された複数個の前記フレームの全体外形に応じた外形を有する１枚シートであることが好適である。
【００１６】
この好適な内照式看板によれば、複数個のフレームが連結配置されることで一層の大型化を実現することができる。また、フレキシブルフェイスシートが１枚シートであることから、このような大型化を実現しつつ、均一な表示面を得ることができる。
【００１７】
また、この好適な内照式看板において、複数個の前記フレームそれぞれにおける連結部分は、前記フレームにおける前記一方の側とは反対側の他方の側からの高さが、他の部分の高さよりも低くなるように切り欠かれている、若しくは前記他の部分の高さよりも低い別部材で形成されていることが更に好適である。
【００１８】
この更に好適な内照式看板によれば、連結部分とフレキシブルフェイスシートとの間に空間が空くことから、表示面における、連結部分の影を目立たなくすることができる。
【００１９】
また、本発明の内照式看板において、前記固定レールが、前記フレキシブルフェイスシートの端縁部分に沿って２列以上、互いに平行配列されており、前記フレキシブルフェイスシートの端縁部分が、各列の前記固定レールに固定されていることが好適である。
【００２０】
この好適な内照式看板では、２列以上の固定レールそれぞれにフレキシブルフェイスシートの端縁部分が固定されることから、フレキシブルフェイスシートに対する展張力が強化されている。これにより、大型のフレキシブルフェイスシートを用いる際にも、弛みを抑えて十分に展張保持することができる。
【００２１】
また、本発明の内照式看板において、前記固定レールが、前記フレームにおける前記表裏それぞれに複数本ずつ固定されており、前記フレキシブルフェイスシートが、前記表裏それぞれの側で複数本の前記固定レールによって展張保持されるように２枚設けられていることも好適である。
【００２２】
この好適な内照式看板によれば、両面表示タイプについても、屋外でも屋内でも使用でき、かつ、大型化に適した構成を得ることができる。
【００２３】
また、本発明の内照式看板において、前記フレームが、金属フレームの表面に防水皮膜処理が施され、前記固定レールが、金属レールの表面に防水皮膜処理が施され、前記フレーム光源が、防水仕様の光源であることも好適である。
【００２４】
この好適な内照式看板によれば、フレーム、固定レール、及びフレーム光源の何れについても防水対策が施されていることから、屋外での使用について長寿命化を図ることができる。
【００２５】
また、本発明の内照式看板において、前記フレームが、２つのフレーム部分を、側面視で略Ｌ字状となるように端部どうしを連結して形成されたものであり、複数本の前記固定レールのうち、前記２つのフレーム部分の一方のフレーム部分から他方のフレーム部分へと延在する固定レールは、前記側面視で、少なくとも前記一方のフレーム部分から他方のフレーム部分へと渡る部分が湾曲した形状となっていることも好適である。
【００２６】
この好適な内照式看板によれば、屋内で使用する際に、例えば壁と天井等というように、２つの壁面に亘ってフレキシブルフェイスシートを配置することができる。
【００２７】
また、本発明の内照式看板において、前記フレームが、ファブリックシートの固定用に形成されたファブリックフレームであることも好適である。
【００２８】
この好適な内照式看板によれば、フレームとして、本来大型化に適したファブリックフレームを採用することで、大型化を容易に図ることができる。
【発明の効果】
【００２９】
本発明によれば、屋外でも屋内でも使用でき、かつ、大型化に適した内照式看板を得ることができる。
【図面の簡単な説明】
【００３０】
【図１】本発明の第１実施形態にかかる内照式看板を示す図である。
【図２】図１における領域Ａ１の拡大図である。
【図３】本発明の第２実施形態にかかる内照式看板を示す図である。
【図４】本発明の第３実施形態にかかる内照式看板を示す図である。
【図５】図４における領域Ａ３の拡大図である。
【図６】本発明の第４実施形態にかかる内照式看板を示す図である。
【図７】図６における領域Ａ４の拡大図である。
【図８】本発明の第５実施形態にかかる内照式看板を示す図である。
【図９】本発明の第６実施形態にかかる内照式看板のフレーム及び固定レールを示す図である。
【発明を実施するための形態】
【００３１】
以下、本発明の第１〜第４の各実施形態を説明する。まず、第１実施形態について、図１及び図２を参照して説明する。
【００３２】
図１は、本発明の第１実施形態にかかる内照式看板を示す図である。この図１には、第１実施形態の内照式看板１の正面図と、Ｖ１１−Ｖ１１線断面を表す断面図と、Ｖ１２−Ｖ１２線断面を表す断面図と、が示されている。また、図２は、図１における領域Ａ１の拡大図である。
【００３３】
本実施形態の内照式看板１は、片面表示式の発光看板であり、矩形状のフレキシブルフェイスシート（以下、ＦＦシートと略称する。）１１と、フレーム１２と、４本の固定レール１３と、複数のフレーム光源１４と、を備えている。
【００３４】
ＦＦシート１１は、例えばテント地にフッ素コート等の防水処理を施したシート材で、半透明に形成され、表面には、看板用の絵柄がプリントされている。
【００３５】
フレーム１２は、シートの固定用に形成された枠材であって、ＦＦシート１１の外形に応じた矩形状の外形を有する枠である。本実施形態では、フレーム１２は、矩形状の背面板１２１と、４つの側壁板１２２と、を備えている。側壁板１２２は、背面板１２１の各辺から正面側に立ち上がった部位である。
【００３６】
尚、本実施形態では、フレーム１２として、不図示のファブリックシートの固定用に形成されたファブリックフレームが採用されている。
【００３７】
固定レール１３は、フレーム１２における、その厚み方向Ｄ１１の表裏のうち正面側に、当該フレーム１２の内側空間１２ａを相互間に挟むように４本が固定されている。具体的には、各固定レール１３は、フレーム１２における正面側にＬ字金具１５を介して固定されている。本実施形態では、固定レール１３は、フレーム１２に取り付けられたＬ字金具１５にネジ１６で固定されている。そして、４本の固定レール１３は、各々に矩形状のＦＦシート１１の４つの端縁部分１１１（図２参照。）が固定されて、当該ＦＦシート１１を展張保持している。
【００３８】
ここで、図２に示されているように、固定レール１３は、受けレール１３１と、押えレール１３２と、を備えている。受けレール１３１は、その長手方向と直交する断面形状が略Ｈ型を有するようにアルミニウムで押出し成形されたレール材である。押えレール１３２は、この受けレール１３１の凹溝１３１ａに嵌め込まれるレール材である。受けレール１３１は、Ｌ字金具１５の正面側の面に、Ｈ字が立つ姿勢で固定される。この受けレール１３１において正面側を向いた凹溝１３１ａに、この凹溝１３１ａの底との間にＦＦシート１１の端縁部分１１１を挟み込むように押えレール１３２が嵌め込まれる。そして、押えレール１３２、ＦＦシート１１の端縁部分１１１、受けレール１３１における凹溝１３１ａの底、及びＬ字金具１５を貫いてネジ１６が締め付けられている。このネジ１６の締付けにより、ＦＦシート１１の端縁部分１１１が、受けレール１３１における凹溝１３１ａの底に向かって引き込まれる。その結果、ＦＦシート１１を、４辺の端縁部分１１１を互いに引き離す方向に引っ張る展張力Ｆ１１が働き、ＦＦシート１１が展張保持されることとなる。
【００３９】
複数のフレーム光源１４は、図１に示されているように、フレーム１２における内側空間１２ａの方を向いた内壁面のうち、正面から見て左右に位置する対向一対の側壁板１２２それぞれの内壁面に取り付けられたＬＥＤ光源である。各側壁板１２２のフレーム光源１４は内側空間１２ａの方に向かって光を発しており、即ち、本実施形態の内照式看板１は、ＦＦシート１１の背面を左右から照らすサイドライト方式の発光看板となっている。
【００４０】
また、本実施形態の内照式看板１には、固定レール１３に固定された端縁部分１１１を含む、ＦＦシート１１の全周縁を覆うようにフレーム１２に固定された化粧枠１７が設けられている。
【００４１】
更に、本実施形態では、フレーム１２が、アルミフレーム（金属フレーム）の表面に防水皮膜処理が施されたものとなっている。また、固定レール１３が、アルミレール（金属レール）の表面に防水皮膜処理が施されたものとなっている。同様の金属部材であるＬ字金具１５及び化粧枠１７も、表面に防水皮膜処理が施されたものとなっている。そして、フレーム光源１４が、防水仕様の光源となっている。
【００４２】
以上に説明した第１実施形態の内照式看板１では、看板の絵柄を表示するシートとして、透明又は半透明で表面に防水処理が施されたＦＦシート１２が採用されている。ＦＦシート１２が防水性を有していることから、本実施形態の内照式看板１は、屋内は勿論、屋外でも使用可能となっている。ここで、一般に、ＦＦシートは、布製のファブリックシートに比べると硬質で折り曲げ難いことから、そのままでは、フレームには取り付けることが困難である。これに対し、本実施形態の内照式看板１では、ＦＦシート１１をフレーム１２に直に取付けるのではなく、４本の固定レール１３を介して展張保持される。これによりフレーム１２への取付けの困難さが解消される。このように取付けの困難さが解消されたことにより、フレーム１２の一例として大型化に適したファブリック方式で使用されるファブリックフレームを採用することで、ファブリック方式の看板同様、本実施形態の内照式看板１も大型化に適したものとなっている。このように、本実施形態の内照式看板１は、屋外でも屋内でも使用でき、かつ、大型化に適した内照式看板となっている。
【００４３】
また、本実施形態の内照式看板１は、固定レール１３に固定された端縁部分１１１を含む、ＦＦシート１１の全周縁を覆うようにフレーム１２に固定された化粧枠１７を備えている。この化粧枠１７により、ＦＦシート１１において固定レール１３に固定された端縁部分１１１が隠されるので、良好な外観を得ることができる。
【００４４】
また、本実施形態の内照式看板１によれば、フレーム１２や固定レール１３を含む各種金属部材、及びフレーム光源１４の何れについても防水対策が施されていることから、屋外での使用について長寿命化を図ることができる。
【００４５】
また、本実施形態では、フレーム１２が、ファブリックシートの固定用に形成されたファブリックフレームとなっている。これにより、大型化を容易に図ることができる。
【００４６】
次に、第２実施形態について、図３を参照して説明する。
【００４７】
図３は、本発明の第２実施形態にかかる内照式看板を示す図である。この図３には、第２実施形態の内照式看板２の正面図と、Ｖ２１−Ｖ２１線断面を表す断面図と、Ｖ２２−Ｖ２２線断面を表す断面図と、が示されている。
【００４８】
本実施形態の内照式看板２も、片面表示式の発光看板であり、矩形状のＦＦシート２１と、フレーム２２と、４本の固定レール２３と、複数のフレーム光源２４と、Ｌ字金具２５と、化粧枠２６と、を備えている。本実施形態でも、フレーム２２としてファブリックフレームが採用されている。また、フレーム２２及び固定レール２３を含む各種金属部材の表面には防水皮膜処理が施され、フレーム光源２４は防水仕様の光源となっている。本実施形態では、ＦＦシート２１及びフレーム２２における図中の左右方向の寸法が、図１に示されている第１実施形態のＦＦシート１１及びフレーム１２における図中の左右方向の寸法よりも大型となっている。この寸法の違いを除いて、本実施形態におけるＦＦシート２１、フレーム２２、固定レール２３、フレーム光源２４、Ｌ字金具２５、及び化粧枠２６は、第１実施形態におけるＦＦシート１１、フレーム１２、固定レール１３、フレーム光源１４、Ｌ字金具１５、及び化粧枠１７と同等である。これら同等な構成内容については重複説明を割愛する。
【００４９】
ここで、本実施形態では、内照式看板２に、内側空間２２ａを図中上下方向に横切って中間材２７が取り付けられている。中間材２７は、フレーム２２の背面板２２１に密着する帯板部２７１と、この帯板部２７１からＦＦシート２１に向かって立設された中間リブ２７２と、を備えている。中間リブ２７２は、フレーム２２における正面とは反対側の背面側からＦＦシート２１に向かって立設されたものとなっている。そして、この中間リブ２７２の表裏両面に複数の中間光源２８が固定されている。
【００５０】
以上に説明した第２実施形態の内照式看板２も、第１実施形態の内照式看板１と同様に、屋外でも屋内でも使用でき、かつ、大型化に適した内照式看板であることは言うまでもない。
【００５１】
更に、この第２実施形態の内照式看板２によれば、第１実施形態の内照式看板１よりも大型化された分の光量不足が、上記の中間リブ２７２に取り付けられた複数の中間光源２８によって補われるので、全表示面に亘って均一に発光させることができる。
【００５２】
ここで、この内照式看板２では、中間リブ２７２の、背面側からの高さＨ２１は、フレーム２２の高さよりも低くなるように形成され、ＦＦシート２１との間に空間ｄ２１が開いている。これにより、中間リブ２７２の影や、中間光源２８のイメージを目立たなくすることができる。
【００５３】
次に、第３実施形態について、図４及び図５を参照して説明する。
【００５４】
図４は、本発明の第３実施形態にかかる内照式看板を示す図である。この図４には、第３実施形態の内照式看板３の正面図と、Ｖ３１−Ｖ３１線断面を表す断面図と、Ｖ３２−Ｖ３２線断面を表す断面図と、が示されている。また、図５は、図４における領域Ａ３の拡大図である。
【００５５】
第３実施形態の内照式看板３は、図３に示されている内照式看板２の凡そ２倍の大きさを有する超大型の発光看板となっている。この内照式看板３は、矩形状のＦＦシート３１と、２つのフレーム３２と、固定レール３３と、複数のフレーム光源３４と、Ｌ字金具３５と、化粧枠３６と、２本の中間材３７と、複数の中間光源３８と、を備えている。本実施形態でも、フレーム３２としてファブリックフレームが採用されている。また、フレーム３２及び固定レール３３を含む各種金属部材の表面には防水皮膜処理が施され、フレーム光源３４や中間光源３８は防水仕様の光源となっている。
【００５６】
本実施形態では、まず、図３に示されている第２実施形態のフレーム２２に相当するフレーム３２が、このフレーム３２の面内方向のうち図４中の上下方向に２個、互いに連結配置されている。ＦＦシート３１は、連結配置された２個のフレーム３２の全体外形に応じた外形を有する超大型の１枚シートとなっている。
【００５７】
また、２個のフレーム３２それぞれにおける連結部分３２ａは、フレーム３２における背面板３２１からの高さＨ３１が、他の部分の高さよりも低くなるように切り欠かれており、ＦＦシート３１との間に空間ｄ３１が開いている。これにより、連結部分３２ａの影を目立たなくすることができる。尚、上記の連結部分３２ａを他の部分よりも低くする手法は、本実施形態のように切欠きに限るものではなく、連結部分３２ａを、他の部分の高さよりも低い別部材で形成すること等であってもよい。
【００５８】
また、中間材３７は、２個のフレーム３２それぞれに、図３に示されている第２実施形態の中間材２７と同様に取り付けられており、各中間材３７の中間リブ３７２の両面に複数の中間光源３８が固定されている。そして、この中間リブ３７２の高さＨ３２は、連結部分３２ａの高さＨ３１と同じ高さ、即ちフレーム３２における他の部分の高さよりも低くなるように形成されており、ＦＦシート３１との間に空間ｄ３１が開いている。これにより、中間リブ３７２の影や、中間光源３８のイメージを目立たなくすることができる。
【００５９】
また、本実施形態では、超大型のＦＦシート３１を十分に展張するべく、固定レール３３が、ＦＦシート３１の端縁部分３１１に沿って２列、互いに平行配列されている。そして、図５に示されているように、ＦＦシート３１の端縁部分３１１が、各列の固定レール３３に固定されている。各列の固定レール３３は、図２に示されている第１実施形態の固定レール１３と同様の構造である。即ち、受けレール３３１において正面側を向いた凹溝３３１ａに、この凹溝３３１ａの底との間にＦＦシート３１の端縁部分３１１を挟み込むように押えレール３３２が嵌め込まれる。そして、押えレール３３２、ＦＦシート３１の端縁部分３１１、受けレール３３１における凹溝３３１ａの底、及びＬ字金具３５を貫いてネジ３９が締め付けられている。このネジ３９の締付けにより、ＦＦシート３１の端縁部分３１１が、受けレール３３１における凹溝３３１ａの底に向かって引き込まれる。その結果、ＦＦシート３１を、４辺の端縁部分３１１を互いに引き離す方向に引っ張る展張力Ｆ３１が働き、ＦＦシート３１が展張保持されることとなる。
【００６０】
本実施形態では、２列の固定レール３３のうち、フレーム３２の外周側の固定レール３３から端縁部分３１１の固定が行われる。これにより、まず、ある程度の展張力Ｆ３１でＦＦシート３１が展張保持され、続いて内周側の固定レール３３への端縁部分３１１の固定が行われることで、展張力Ｆ３１が更に強められ、ＦＦシート３１が更に強く展張保持されることとなっている。
【００６１】
以上に説明した第３実施形態の内照式看板３も、第１実施形態の内照式看板１と同様に、屋外でも屋内でも使用でき、かつ、大型化に適した内照式看板であることは言うまでもない。
【００６２】
更に、この第３実施形態の内照式看板３によれば、２個のフレーム３２が連結配置されることで一層の大型化を実現することができる。また、フレキシブルフェイスシート３１が１枚シートであることから、このような大型化を実現しつつ、均一な表示面を得ることができる。
【００６３】
また、第３実施形態の内照式看板３によれば、フレーム３２の連結部分３２ａとＦＦシート３１との間に空間ｄ３１が空くことから、表示面における、連結部分３２ａの影を目立たなくすることができる。
【００６４】
また、第３実施形態の内照式看板３によれば、２列の固定レール３３それぞれにＦＦシート３１の端縁部分３１１が固定されることから、ＦＦシート３１に対する展張力Ｆ３１が強化されている。これにより、大型のＦＦシート３１を用いる際にも、弛みを抑えて十分に展張保持することができる。
【００６５】
次に、第４実施形態について、図６及び図７を参照して説明する。
【００６６】
図６は、本発明の第４実施形態にかかる内照式看板を示す図である。この図６には、第４実施形態の内照式看板４の正面図と、裏面図と、Ｖ４１−Ｖ４１線断面を表す断面図と、Ｖ４２−Ｖ４２線断面を表す断面図と、が示されている。また、図７は、図６における領域Ａ４の拡大図である。
【００６７】
第４実施形態の内照式看板４は、両面表示式の発光看板であり、表裏２枚のＦＦシート４１と、枠のみのフレーム４２と、固定レール４３と、複数のフレーム光源４４と、Ｌ字金具４５と、化粧枠４６と、を備えている。本実施形態でも、フレーム４２としてファブリックフレームが採用されている。また、フレーム４２及び固定レール４３を含む各種金属部材の表面には防水皮膜処理が施され、フレーム光源４４は防水仕様の光源となっている。
【００６８】
フレーム４２は、４つの背面壁板４２１と、４つの側壁板４２２と、４つの正面壁板４２３と、を備えている。側壁板４２２は、背面壁板４２１の端辺から正面側に立ち上がった部位であり、正面壁板４２３は、各側壁板４２２における背面壁板４２１の側とは反対側の辺から背面壁板４２１と平行に延在する部位である。背面壁板４２１と正面壁板４２３とはともに帯板状となっている。
【００６９】
４つの側壁板４２２のうち図中の上下方向に延在する対向一対の側壁板４２２のそれぞれに複数のフレーム光源４４が固定されている。
【００７０】
また、固定レール４３が、フレーム４２における表裏それぞれに４本ずつ固定されている。即ち、背面側には、４つの背面壁板４２１それぞれに１本ずつ、合計で４本の固定レール４３が固定され、正面側には、４つの正面壁板４２３それぞれに１本ずつ、合計で４本の固定レール４３が固定されている。
【００７１】
そして、ＦＦシート４１が、表裏それぞれの側で４本の固定レール４３によって展張保持されるように２枚設けられている。また、ＦＦシート４１の全周縁を覆うようにフレーム４２に固定された化粧枠４６が表裏それぞれに設けられている。
【００７２】
図７に示されているように、表裏それぞれの側でＦＦシート４１の端縁部分４１１が、各固定レール４３に固定されている。各固定レール４３は、図２に示されている第１実施形態の固定レール１３と同様の構造である。即ち、受けレール４３１において正面側を向いた凹溝４３１ａに、この凹溝４３１ａの底との間にＦＦシート４１の端縁部分４１１を挟み込むように押えレール４３２が嵌め込まれる。そして、押えレール４３２、ＦＦシート４１の端縁部分４１１、受けレール４３１における凹溝４３１ａの底、Ｌ字金具４５、フレーム４２における各正面壁板４２３又は背面壁板４２１を貫いてネジ４７が締め付けられている。このネジ４７の締付けにより、ＦＦシート４１の端縁部分４１１が、受けレール４３１における凹溝４３１ａの底に向かって引き込まれる。その結果、表裏それぞれのＦＦシート４１を、４辺の端縁部分４１１を互いに引き離す方向に引っ張る展張力Ｆ４１が働き、各ＦＦシート４１が展張保持されることとなる。
【００７３】
以上に説明した第４実施形態の内照式看板４も、第１実施形態の内照式看板１と同様に、屋外でも屋内でも使用でき、かつ、大型化に適した内照式看板であることは言うまでもない。
【００７４】
更に、この第４実施形態の内照式看板４によれば、両面表示タイプについても、屋外でも屋内でも使用でき、かつ、大型化に適した構成を得ることができる。
【００７５】
次に、第５実施形態について、図８を参照して説明する。
【００７６】
図８は、本発明の第５実施形態にかかる内照式看板を示す図である。この図８には、第５実施形態の内照式看板５の、観察者から見て上側の端部近傍の拡大側面図が示されている。
【００７７】
第５実施形態の内照式看板５は、フレーム５２の構造が、上述した第１実施形態と異なっている。以下では、この第５実施形態の内照式看板５について、第１実施形態との相違点に注目して説明する。
【００７８】
本実施形態では、フレーム５２が、固定フレーム５２１と、開閉フレーム５２２と、で構成されている。開閉フレーム５２２は、図８に示されているように、上側の端部が、固定フレーム５２１における上側の端部にヒンジ５２３によって連結されている。これにより、開閉フレーム５２２は、固定フレーム５２１に対してヒンジ５２３の回動軸５２３ａを中心とした回動により矢印Ｄ５１方向に開閉可能となっている。また、開閉フレーム５２２における不図示の下側の端部は、固定フレーム５２１に対して所定の固定機構により着脱可能に固定される。本実施形態では、固定フレーム５２１としてファブリックフレームが採用されている。そして、固定レール５３に不図示のフレーム光源が固定されている。
【００７９】
受けレール５３１及び押えレール５３２を備える固定レール５３は、開閉フレーム５２における正面側にＬ字金具５５を介して固定されている。そして、ＦＦシート５１は、端部が受けレール５３１及び押えレール５３２で挟まれた状態でネジ５６で貫通されることで開閉フレーム５２２に展張保持されている。
【００８０】
フレーム５２や固定レール５３を含む各種金属部材の表面に防水皮膜処理が施されている点、及び、不図示のフレーム光源が防水仕様の光源である点については、上述した第１実施形態と同様である。
【００８１】
以上に説明した第５実施形態の内照式看板５も、第１実施形態の内照式看板１と同様に、屋外でも屋内でも使用でき、かつ、大型化に適した内照式看板であることは言うまでもない。
【００８２】
また、本実施形態では、開閉フレーム５２２が開閉可能となっているので、開閉フレーム５２２を適宜に開いてフレーム光源のメンテナンスを容易に行なうことができる。
【００８３】
次に、第６実施形態について、図９を参照して説明する。
【００８４】
ここで、第６実施形態は、フレーム及び固定レールが、上述した第１実施形態と異なっている。以下では、この第６実施形態の内照式看板について、第１実施形態との相違点に注目して説明する。
【００８５】
図９は、本発明の第６実施形態にかかる内照式看板のフレーム及び固定レールを示す図である。この図９には、第６実施形態の内照式看板６のフレーム６２及び固定レール６３の正面図及び側面図が示されている。
【００８６】
本実施形態では、フレーム６２が、立フレーム６２１と天井フレーム６２２との２つのフレーム部分を、側面視で略Ｌ字状となるように端部どうしを連結して形成されたものとなっている。立フレーム６２１と天井フレーム６２２との何れについても、ファブリックフレームが採用されている。また、立フレーム６２１には、その中央を図中上下方向に横切って中間材６４が取り付けられている。
【００８７】
本実施形態では、立フレーム６２１の図中下端部、天井フレーム６２２における立フレーム６２１とは反対側の前端部、及び、立フレーム６２１の側端部と天井フレーム６２２の側端部とに亘る一対の部分に、合計で４本の固定レール６３が取り付けられている。
【００８８】
そして、本実施形態では、これら４本の固定レール６３のうち、立フレーム６２１から天井フレーム６２２へと延在する一対の固定レール６３は、側面視で、少なくとも立フレーム６２１から天井フレーム６２２へと渡る部分が湾曲した形状となっている。
【００８９】
本実施形態でも、フレーム６２や固定レール６３や中間材６４を含む各種金属部材の表面に防水皮膜処理が施されている点、及び、不図示のフレーム光源が防水仕様の光源である点については、上述した第１実施形態と同様である。
【００９０】
以上に説明した第６実施形態の内照式看板６も、第１実施形態の内照式看板１と同様に、屋外でも屋内でも使用でき、かつ、大型化に適した内照式看板であることは言うまでもない。
【００９１】
また、本実施形態によれば、屋内で使用する際に、例えば壁と天井等というように、２つの壁面に亘ってフレキシブルフェイスシートを配置ことができる。
【００９２】
尚、以上に説明した第１〜第４実施形態は代表的な形態を示したに過ぎず、これらの実施形態に限定されるものではない。即ち、骨子を逸脱しない範囲で上述した種々変形して実施することができる。かかる変形によってもなお上述の内照式看板における本質的な構成を具備する限り、勿論、範疇に含まれるものである。
【００９３】
例えば、上述した実施形態では、本発明にいう内照式看板の一例として、何れも矩形状の内照式看板１，２，３，４，５，６が例示されている。しかしながら、本発明にいう内照式看板は、これらに限るものではなく、三角形や五角形等の多角形状のものであってもよく、あるいは円形状のもの等であってもよく、その形状については任意に設定し得る。
【００９４】
また、上述した実施形態では、本発明にいうフレーム光源の一例として、何れもフレーム１２，２２，３２，４２における対向一対の内壁面に固定されたフレーム光源１４，２４，３４，４４が例示されている。しかしながら、本発明にいうフレーム光源は、これらに限るものではなく、フレームの内壁面に固定されるのであれば、その配置は任意に設定し得る。
【００９５】
また、上述した実施形態では、本発明にいう「面内方向に互いに連結配置」された複数個のフレームの一例として、図４中の上下方向に連結配置された２個のフレーム３２が例示されている。しかしながら、本発明にいう「面内方向に互いに連結配置」された複数個のフレームは、これに限るものではなく、例えば図４中の左右方向に連結配置されたものでも、あるいは、上下左右両方向に連結配置されたものであってもよい。また、その連結数についても、２個に限るものではなく、３個であっても４個であってもよい。本発明にいう「面内方向に互いに連結配置」された複数個のフレームは、その連結方向や連結数について任意に設定し得る。更には、図６及び図７に示されているように、表裏へのＦＦシートの取付けを想定したフレームを、複数個、面内方向に互いに連結配置したもの等であってもよい。
【００９６】
また、上述した実施形態では、両面表示タイプの内照式看板に設けられる化粧枠の一例として、図７に示されているように、フレーム４２の表裏それぞれに個別に設けられる化粧枠４６が例示されている。しかしながら、両面表示タイプの内照式看板に設けられる化粧枠は、これに限るものではなく、例えば、表裏で分割されているのではなく、フレームの側面壁に沿って連結されて表裏で一体に形成されたもの等であってもよい。
【００９７】
また、上述した実施形態では、本発明にいうフレームの一例として、ファブリックフレームを採用したフレーム１２，２２，３２，４２，５２，６２が例示されている。しかしながら、本発明にいうフレームは、これらに限るものではなく、シートの固定用に形成された枠材であって、ＦＦシートの外形に応じた外形を有するフレームであれば、その具体的な態様を問うものではない。
【符号の説明】
【００９８】
１，２，３，４  内照式看板
１１，２１，３１，４１，５１  ＦＦシート（フレキシブルフェイスシート）
１２，２２，３２，４２，５２，６２  フレーム
１２ａ，２２ａ  内側空間
１３，２３，３３，４３，５３，６３  固定レール
１４，２４，３４，４４  フレーム光源
１５，２５，３５，４５，５５  Ｌ字金具
１６，３９，４７，５６  ネジ
１７，２６，３６，４６  化粧枠
２７，３７，６４  中間材
２８，３８  中間光源
３２ａ  連結部分
１１１，３１１，４１１  端縁部分
１２１，２２１，３２１  背面板
１２２，４２２  側壁板
４２３  正面壁板
１３１，３３１，４３１，５３１  受けレール
１３１ａ，３３１ａ，４３１ａ  凹溝
１３２，３３２，４３２，５３２  押えレール
２７１  帯板部
２７２，３７２  中間リブ
５２１  固定フレーム
５２２  開閉フレーム
５２３  ヒンジ
５２３ａ  回動軸
６２１  立フレーム
６２２  天井フレーム
Ｄ１１  厚み方向
ｄ２１，ｄ３１  空間
Ｆ１１，Ｆ３１，Ｆ４１  展張力
Ｈ２１，Ｈ３１，Ｈ３２  高さ
【図１】
2018197842.tif 000003
【図２】
2018197842.tif 000004
【図３】
2018197842.tif 000005
【図４】
2018197842.tif 000006
【図５】
2018197842.tif 000007
【図６】
2018197842.tif 000008
【図７】
2018197842.tif 000009
【図８】
2018197842.tif 000010
【図９】
2018197842.tif 000011